(57)【要約】【課題】ＳＤアップコンバート映像の入力時にはそれに適したピーク周波数に回路自身が切り替えを行うことができ、集積回路化特にＬＳＩ化に適した映像信号処理装置、映像信号処理方法及びテレビ放送受信装置を提供すること。【解決手段】ＨＤフォーマットのＨＤ映像信号又はＳＤアップコンバート映像信号を入力し、それぞれに適したピクセル周波数を持った第１，第２の２次微分信号を算出する第１，第２の２次微分算出回路２，３と、入力映像信号がＨＤ映像信号かＳＤアップコンバート映像信号かを検出するＳＤ／ＨＤ映像信号検出回路４と、このＳＤ／ＨＤ映像信号検出回路４の判定結果に基づいて、第１，第２の２次微分信号のゲインをコントロールする手段１７とを備え、前記ゲインコントロールされた第１，第２の２次微分信号を加算回路１０にて加算して、輪郭補正用の２次微分信号を生成する。【選択図】  図１
2006179976.tif 000002
【特許請求の範囲】
【請求項１】
ＨＤフォーマットの信号として入力されるＨＤ映像信号から、第１のピーク周波数を持った第１の２次微分信号を算出する第１の２次微分算出回路と、
前記ＨＤフォーマットの信号として入力されるＳＤアップコンバート映像信号から、第２のピーク周波数を持った第２の２次微分信号を算出する第２の２次微分算出回路と、
前記入力されたＨＤフォーマットの信号の元映像信号がＳＤ映像信号かＨＤ映像信号かを検出するＳＤ／ＨＤ映像信号検出回路と、
前記ＳＤ／ＨＤ映像信号検出回路の判定結果に基づいて、前記第１，第２の２次微分信号に対するゲインをコントロールするゲインコントロール手段と、
前記ゲインコントロール手段にてコントロールされた第１，第２の２次微分信号を加算する加算回路と、
前記加算回路から出力される２次微分信号を振幅制限処理，コアリング処理し、さらにその２次微分信号の利得を所定の利得係数により制御する非線形処理部と、
前記非線形処理部で処理された２次微分信号を前記入力されるＨＤフォーマットの信号と加算して輪郭補正された映像信号を出力する出力部と、
を備えたことを特徴とする映像信号処理装置。
【請求項２】
前記ゲインコントロール手段は、前記ＳＤ／ＨＤ映像信号検出回路の判定結果によりＳＤアップコンバート映像信号と判定された場合、ゲインコントロール信号によりＨＤ映像用の第１の２次微分信号に対するゲインを減少、ＳＤアップコンバート映像用の第２の２次微分信号に対するゲインを増加させるように制御し、前記ＳＤ／ＨＤ映像信号検出回路の判定結果によりＨＤ映像信号と判定された場合、ゲインコントロール信号によりＨＤ映像用の第１の２次微分信号に対するゲインを増加、ＳＤアップコンバート映像用の第２の２次微分信号に対するゲインを減少させるように制御し、入力映像信号に応じて最適な輪郭補正を行うことを特徴とする請求項１に記載の映像信号処理装置。
【請求項３】
前記ゲインコントロール手段は、
第１の乗算回路及び第１のゲイン設定部を備え、前記第１の乗算回路は前記第１の２次微分算出回路からの第１の２次微分信号に前記第１のゲイン設定部からのゲイン設定値を乗算して出力する第１のゲインコントロール部と、
第２の乗算回路及び第２のゲイン設定部を備え、前記第２の乗算回路は前記第２の２次微分算出回路からの第２の２次微分信号に前記第２のゲイン設定部からのゲイン設定値を乗算して出力する第２のゲインコントロール部とを備え、
前記第１，第２のゲイン設定部は、前記ＳＤ／ＨＤ映像信号検出回路からの検出結果がゲインコントロール信号として供給されて当該第１，第２のゲイン設定部それぞれのゲイン設定値が切り替えられることを特徴とする請求項１に記載の映像信号処理装置。
【請求項４】
前記ＳＤ／ＨＤ映像信号検出回路は、
前記ＳＤアップコンバート映像信号の水平方向の有効ピクセル数のうち、両サイド領域の所定のピクセル数ずつの輝度信号をサンプリングして設定するサイドパネルエリア設定部と、
前記サイドパネルエリア設定部で設定された領域のサンプリングされたピクセルについて、輝度レベルごとの分布数を示すヒストグラムを作成するヒストグラム作成部と、
前記作成したヒストグラムで最大ピークの輝度レベルが予め設定したスレッショルドレベル以下か否かを判定することで、ＳＤアップコンバート映像信号か否かを判定するヒストグラム判定部と、
備えたことを特徴とする請求項１に記載の映像信号処理装置。
【請求項５】
ＨＤフォーマットの信号として入力されるＨＤ映像信号から、第１のピーク周波数を持った第１の２次微分信号を算出する第１の２次微分算出ステップと、
前記ＨＤフォーマットの信号として入力されるＳＤアップコンバート映像信号から、第２のピーク周波数を持った第２の２次微分信号を算出する第２の２次微分算出ステップと、
前記入力されたＨＤフォーマットの信号の元映像信号がＳＤ映像信号かＨＤ映像信号かを検出するＳＤ／ＨＤ映像信号検出ステップと、
前記ＳＤ／ＨＤ映像信号検出ステップの判定結果に基づいて、前記第１，第２の２次微分信号に対するゲインをコントロールするゲインコントロールステップと、
前記ゲインコントロールステップにてコントロールされた第１，第２の２次微分信号を加算する加算ステップと、
前記加算ステップから出力される２次微分信号を振幅制限処理，コアリング処理し、さらにその２次微分信号の利得を所定の利得係数により制御する非線形処理ステップと、
前記非線形処理ステップで処理された２次微分信号を前記入力されるＨＤフォーマットの信号と加算して輪郭補正された映像信号を出力する出力ステップと、
を備えたことを特徴とする映像信号処理方法。
【請求項６】
テレビ放送信号を受信し映像信号に復調する受信手段と、
前記復調した映像信号を信号処理する、請求項１又は２に記載の映像信号処理装置と、
前記信号処理した映像信号を表示する表示手段と、
を備えたことを特徴とするテレビ放送受信装置。
【発明の詳細な説明】
【技術分野】
【０００１】
本発明は、ＢＳデジタル放送などで送信されるＨＤフォーマットの映像信号の輪郭補正を行う映像信号処理装置、映像信号処理方法及びテレビ放送受信装置に関するものである。
【背景技術】
【０００２】
ＢＳデジタル放送では、アスペクト比１６：９の通常のＨＤ映像と、従来のＮＴＳＣ放送で使用されてきたアスペクト比４：３のＳＤ映像をＨＤ映像にアップコンバートして映像の左右にサイドパネル部分を追加した映像と、の２種類のＨＤフォーマットの映像が送信されている。後者のＳＤアップコンバート映像に対してＨＤ映像用の画質補正を行うと、意図した画質補正効果が得られない。すなわち、ＳＤアップコンバート映像に対して従来の水平および垂直輪郭補正回路では、ＨＤ映像に最適となるピーク周波数に設定した輪郭補正回路にＳＤの周波数帯域しか持たない映像が入力されることにより、ＳＤ映像には高すぎるピーク周波数設定により期待する補正効果が得られない。
【０００３】
そこで、従来の画質補正装置としては、ＨＤフォーマットの映像の元映像がＳＤ映像かＨＤ映像かを判別する回路と判別された結果によって画質補正を切り替えるセレクタを備えることで、それぞれの映像周波数帯域に最適な画質補正を行う装置が提案されている（例えば、特許文献１参照）。
【特許文献１】特開２００３−１４３４３９号公報
【発明の開示】
【発明が解決しようとする課題】
【０００４】
しかしながら、特許文献１は、ＳＤ映像画質補正回路とＨＤ映像画質補正回路による画質補正を切替えるのに専用のセレクタ回路を用意して完全に切替え動作を行うものであり、両回路の補正結果を同時に使用する事はできない。
【０００５】
そこで、本発明では、両補正結果をゲインコントロールすることで、ＨＤ映像、ＳＤアップコンバート映像に適した回路を選択する際にも、もう一方の補正結果を使用する事を可能にし、従来よりも調整幅の拡大した映像信号処理装置、映像信号処理方法及びテレビ放送受信装置を提供することを目的とするものである。
【課題を解決するための手段】
【０００６】
本発明による映像信号処理装置は、
ＨＤフォーマットの信号として入力されるＨＤ映像信号から、第１のピーク周波数を持った第１の２次微分信号を算出する第１の２次微分算出回路と、
前記ＨＤフォーマットの信号として入力されるＳＤアップコンバート映像信号から、第２のピーク周波数を持った第２の２次微分信号を算出する第２の２次微分算出回路と、
前記入力されたＨＤフォーマットの信号の元映像信号がＳＤ映像信号かＨＤ映像信号かを検出するＳＤ／ＨＤ映像信号検出回路と、
前記ＳＤ／ＨＤ映像信号検出回路の判定結果に基づいて、前記第１，第２の２次微分信号に対するゲインをコントロールするゲインコントロール手段と、
前記ゲインコントロール手段にてコントロールされた第１，第２の２次微分信号を加算する加算回路と、
前記加算回路から出力される２次微分信号を振幅制限処理，コアリング処理し、さらにその２次微分信号の利得を所定の利得係数により制御する非線形処理部と、
前記非線形処理部で処理された２次微分信号を前記入力されるＨＤフォーマットの信号と加算して輪郭補正された映像信号を出力する出力部と、を備えたものである。
【０００７】
本発明による映像信号処理方法は、
ＨＤフォーマットの信号として入力されるＨＤ映像信号から、第１のピーク周波数を持った第１の２次微分信号を算出する第１の２次微分算出ステップと、
前記ＨＤフォーマットの信号として入力されるＳＤアップコンバート映像信号から、第２のピーク周波数を持った第２の２次微分信号を算出する第２の２次微分算出ステップと、
前記入力されたＨＤフォーマットの信号の元映像信号がＳＤ映像信号かＨＤ映像信号かを検出するＳＤ／ＨＤ映像信号検出ステップと、
前記ＳＤ／ＨＤ映像信号検出ステップの判定結果に基づいて、前記第１，第２の２次微分信号に対するゲインをコントロールするゲインコントロールステップと、
前記ゲインコントロールステップにてコントロールされた第１，第２の２次微分信号を加算する加算ステップと、
前記加算ステップから出力される２次微分信号を振幅制限処理，コアリング処理し、さらにその２次微分信号の利得を所定の利得係数により制御する非線形処理ステップと、
前記非線形処理ステップで処理された２次微分信号を前記入力されるＨＤフォーマットの信号と加算して輪郭補正された映像信号を出力する出力ステップと、を備えたものである。
【０００８】
本発明によるテレビ放送受信装置は、
テレビ放送信号を受信し映像信号に復調する受信手段と、
前記復調した映像信号を信号処理する、請求項１又は２に記載の映像信号処理装置と、
前記信号処理した映像信号を表示する表示手段と、を備えたものである。
【発明の効果】
【０００９】
本発明によれば、ＨＤ映像信号，ＳＤアップコンバート映像信号の入力時にはそれぞれに適したピーク周波数を選びながらも、もう一方のピーク周波数による効果を得る事が可能なため、従来よりも調整の効果幅を拡大する事ができる。
【発明を実施するための最良の形態】
【００１０】
発明の実施の形態について図面を参照して説明する。 
【実施例１】
【００１１】
図１は本発明の実施例１の映像信号処理装置を示すブロック図、図２乃至図５は図１の装置の動作を説明するための図、図６は図１と等価なシステムをソフトウェアで実現する際のフローチャート、図７は本発明の映像信号処理装置が適用されるテレビ放送受信装置を示すブロック図、図８は図７における映像信号処理装置の構成を示すブロック図である。
【００１２】
まず、図７及び図８から説明する。 
図７に示すテレビ放送受信装置は、デジタル放送とアナログ放送を受信可能なテレビ受像機である。デジタルＴＶ受信用アンテナ３１で受信したデジタルＴＶ信号はデジタルチューナ３２で受信されＭＰＥＧ２の信号に復調された後、このＭＰＥＧ２の信号はＭＰＥＧ２デコーダ３３でデコードされ輝度信号Ｙ及び色信号Ｃb/Ｃrとして出力される。
【００１３】
また、アナログＴＶ受信用アンテナ３６で受信したアナログＴＶ信号はアナログチューナ３７で受信され輝度信号Ｙ及び色信号Ｃb/Ｃrに復調された後、この復調信号はＡ／Ｄ変換部３８に供給されてデジタルの輝度信号Ｙ及び色信号Ｃb/Ｃrとなって出力される。
【００１４】
一方、外部入力端子３４に入力された、図示しないＶＴＲやＤＶＤレコーダなどの外部機器で再生されたＹ／Ｃ分離信号やコンポーネント信号は、Ａ／Ｄ変換部３８に供給されてデジタルの輝度信号Ｙ及び色信号Ｃb/Ｃrとなって出力される。
【００１５】
ＭＰＥＧ２デコーダ３３，Ａ／Ｄ変換部３５，３８から出力される３つの輝度信号Ｙ及び色信号Ｃb/Ｃrは、映像切替え回路としてのスイッチ部（ＳＷと略記）３９の３つの入力端に接続されており、スイッチ部３９ではユーザによる切替え操作に基づいてどれか１つの入力信号が選択される。スイッチ部３９で選択された輝度信号Ｙ及び色信号Ｃb/Ｃrは、映像信号処理装置４０で信号処理されてＲ，Ｇ，Ｂ信号となって出力され、出力デバイスとしてのデジタル表示デバイス６０の画面に表示される。デジタル表示デバイス６０としては、液晶ディスプレイ、プラズマディスプレイなどのフラットパネルが使用される。
【００１６】
上記映像信号処理装置４０は、図８に示すように、輝度信号Ｙ及び色信号Ｃb/Ｃrが入力されてそれらの信号の立上りを急峻にしたり或いはシャープネスを変えたりするエンハンサ処理を行う垂直・水平のエンハンサ部４３と、輝度信号Ｙのγ補正及びそのγ補正に伴う色信号の振幅コントロールを行う、適応的なコントラスト，ブライトネス及び色の制御部４４と、輝度信号Ｙ及び色信号Ｃb/ＣrをＲ，Ｇ，Ｂ信号に変換する色空間変換部４５と、Ｒ，Ｇ，Ｂ信号のγ補正を行って、出力デバイスに対するホワイトバランス調整を行うＲＧＢγ補正部４６と、前段で表現力を増すためにビット数が拡張された高階調のビット表現を、後段の出力デバイスに合った低階調のビット数へ変換する圧縮処理を行うディザ部４７とを備えて構成されている。
【００１７】
以下の本発明の実施例１の図１乃至図６では、上記映像信号処理装置４０における垂直・水平のエンハンサ部４３に用いられる水平輪郭補正回路を説明する。
【００１８】
図１に示す水平輪郭補正回路は、入力端子１からＨＤフォーマットの映像信号として入力されるＨＤ映像信号から第１のピーク周波数（例えば１８ＭＨｚ）を持った第１の２次微分信号を算出する第１の２次微分算出回路２と、入力端子１からＨＤフォーマットの映像信号として入力されるＳＤアップコンバート映像信号から前記第１のピーク周波数より小さい第２のピーク周波数（例えば９ＭＨｚ）を持った第２の２次微分信号を算出する第２の２次微分算出回路３と、前記入力端子１から入力されたＨＤフォーマットの映像信号の元映像がＳＤ映像信号かＨＤ映像信号かを検出するＳＤ／ＨＤ映像信号検出回路４と、前記ＳＤ／ＨＤ映像信号検出回路４の判定結果に基づいて、前記第１，第２の２次微分信号に対するゲインをコントロールするゲインコントロール手段１７と、前記ゲインコントロールされた第１，第２の２次微分信号を加算する加算回路１０と、この加算回路１０から出力される２次微分信号を振幅制限処理，コアリング処理し、さらに２次微分信号の利得を所定の利得係数により制御する非線形処理部１８と、前記非線形処理された２次微分信号を前記入力端子１に入力される映像信号と加算して輪郭補正された映像信号を出力する出力部としての加算回路１５と、を備えている。さらに、水平輪郭補正回路の各部を制御する一方、上記非線形処理部１８の乗算回路１３にゲイン係数を供給するための制御部２０を有している。制御部２０としては、例えばマイクロプロセッサが用いられる。以下に、水平輪郭補正回路の各部の構成について、さらに詳しく説明する。
【００１９】
入力端子１から入力されるＨＤフォーマットの映像信号は、ＨＤ映像信号か又はＳＤアップコンバート映像信号のいずれかである。
【００２０】
上記第１の２次微分算出回路２は、入力端子１に入力されるＨＤ映像信号の映像周波数帯域に適した第１のピーク周波数１８ＭＨｚのピーキング特性を持った第１の２次微分信号を算出する。
【００２１】
上記第２の２次微分算出回路３は、入力端子１に入力されるＳＤアップコンバート映像信号の映像周波数帯域に適した第２のピーク周波数９ＭＨｚのピーキング特性を持った第２の２次微分信号を算出する。
【００２２】
上記ゲインコントロール手段１７は、乗算回路６及びゲイン設定部７を備え、乗算回路６は第１の２次微分算出回路２からの第１の２次微分信号にゲイン設定部７からのゲイン設定値Gain1を乗算して出力する第１のゲインコントロール部と、乗算回路８及びゲイン設定部９を備え、乗算回路８は第２の２次微分算出回路３からの第２の２次微分信号にゲイン設定部９からのゲイン設定値Gain2を乗算して出力する第２のゲインコントロール部とを備え、第１，第２のゲイン設定部７，９は、前記ＳＤ／ＨＤ映像信号検出回路４からの検出結果がゲインコントロール信号として供給されて当該第１，第２のゲイン設定部７，９それぞれのゲイン設定値Gain1，Gain2が切り替えられる。
【００２３】
ＳＤ／ＨＤ映像信号検出回路４でＨＤ映像信号が検出された場合は、ゲイン設定値Gain1を増加、ゲイン設定値Gain2を減少させ（例えば０若しくは０に近い値にし）、ＳＤアップコンバート映像に適する２次微分信号の効果を弱める、または停止させる。また、ＳＤアップコンバート映像信号が検出された場合は、ゲイン設定値Gain1を減少（例えば０若しくは０に近い値にし）、ゲイン設定値Gain2を増加させ、ＨＤ映像信号に適する２次微分信号の効果を弱める、または停止させるように作用する。
【００２４】
上記非線形処理部１８は、大振幅の２次微分信号に対して振幅制限するリミッタ回路１１と、小振幅の高域ノイズ成分をコアリング（芯抜き）するためのコアリング回路１２と、シャープネスゲイン（Sharpness Gain）１４でゲイン調整を行う乗算回路１３とを備えて構成され、加算回路１０からの２次微分信号に対して非線形処理を行い加算回路１５に印加する。この際、コアリング回路１２では、入力映像信号の輪郭成分に相当する加算回路１０からの２次微分信号に対して所定のアリング値でコアリングすることにより、輪郭成分のうち小振幅のノイズ成分を除去する。 
図２は図１の水平輪郭補正回路における非線形処理部１８の入出力特性を示している。
【００２５】
上記ＳＤ／ＨＤ映像信号検出回路４は、例えば、ＳＤアップコンバート映像信号か否かを検出するサイドパネル検出回路で構成することができる。
【００２６】
図３は上記ＳＤ／ＨＤ映像信号検出回路４の一例であるサイドパネル検出回路を示している。サイドパネル検出回路は、ＳＤアップコンバート映像信号の水平方向の有効ピクセル数１９２０ピクセルのうち、両脇の２４０ピクセルずつの輝度信号をサンプリングして設定するサイドパネルエリア設定部２１と、このサイドパネルエリア設定部２１で設定された領域のサンプリング画素について、輝度レベルごとの分布数を示すヒストグラムを作成するヒストグラム作成部２２と、前記作成したヒストグラムで最大ピークの輝度レベルが予め設定したスレッショルド（threshold）レベル以下か否かを判定することで、ＳＤアップコンバート映像信号か否かを判定するヒストグラム判定部２３と、を備えている。
【００２７】
図４及び図５はアスペクト比１６：９のＳＤアップコンバート映像信号の検出方法の一例を説明するための図であり、図４はアスペクト比１６：９のＳＤアップコンバート映像信号を示し、図５はＳＤアップコンバート映像信号についての輝度レベルごとの分布数を表すヒストグラムを示している。
【００２８】
アスペクト比１６：９のＨＤフォーマットのＳＤアップコンバート映像信号は、ＮＴＳＣ放送で使用されてきたアスペクト比４：３の映像部分の両脇に通常サイドパネルが付加されたものとなっている。サイドパネル信号は黒い帯であったり暗い信号であったりすることが多い。このため、サイドパネル検出回路では、ＨＤフォーマットのＳＤアップコンバート映像信号の水平方向の有効ピクセル数１９２０ピクセルのうち、両脇の２４０ピクセルずつの輝度信号をサンプリングし、この両脇の２４０ピクセルにつき輝度レベルごとの分布数を集計してグラフ化する。すなわち、図５のように横軸に輝度レベル、縦軸に分布数をとったヒストグラムを作成する。
【００２９】
これにより画面両脇が一様に暗いレベルと判定した場合、ヒストグラムのピークが複数立たず、判定のために設定した輝度レベル（＝スレッショルドレベル）以下に最も極大なピークが存在することになり、ＳＤアップコンバート映像信号と判定することができる。
【００３０】
次に、図１のように構成された装置の作用を説明する。 
入力端子１に入力するＨＤフォーマットの映像信号を、それぞれ独立したピーク周波数に設定した２次微分算出回路、即ち、ＨＤ映像信号用２次微分算出回路２、ＳＤアップコンバート映像信号用２次微分算出回路３に入力し、それぞれに独立なゲイン設定が可能な乗算回路、即ち、ＨＤ映像信号に対する乗算回路６、ＳＤアップコンバート映像信号に対する乗算回路８によりゲイン調整の後、加算回路１０に入力して２つの信号を合成し、大振幅に対する輪郭補正効果を制限するためのリミッタ回路１１、および、ノイズ等の微小振幅を除去するためのコアリング回路１２により、振幅制限を行った後に、元信号に対する輪郭補正効果量を決定するための設定値（Sharpness Gain）と乗算するための乗算回路１３に入力し、その乗算結果を元信号である入力端子１からの入力映像信号に対して加算回路１５により加算し、出力端子１６に輪郭補正された映像信号として出力する。
【００３１】
この際に、２つのピーク周波数の重みを変更するために、ゲイン設定部７のゲイン設定値Gain1とゲイン設定部９のゲイン設定値Gain2を制御する必要がある。
【００３２】
入力端子１からのＨＤフォーマットの入力映像信号をＳＤ／ＨＤ映像信号検出回路４に入力し、その検出結果をゲインコントロール信号５として出力し、ゲイン設定部７とゲイン設定部９はこのゲインコントロール信号５を受けて、入力映像信号がＨＤ映像信号と検出された場合には、ゲイン設定値Gain1を増加し、ゲイン設定値Gain2を減少させ、ＳＤアップコンバート映像信号に適する２次微分信号の効果を弱める、または停止させる。また、ＳＤアップコンバート映像信号と検出された場合には、ゲイン設定値Gain1を減少、ゲイン設定値Gain2を増加させ、ＨＤ映像信号に適する２次微分信号の効果を弱める、または停止させるように作用する。
【００３３】
このように、輪郭補正回路に、ＨＤ映像用とＳＤアップコンバート映像用の独立した２つのピーク周波数を持たせた２次微分回路２，３を構築し、且つ、それぞれの２次微分信号に乗算回路６，８にて独立したゲイン調整を行い、このゲインコントロールにより、それぞれの映像に対する最適な制御を行えるとともに、従来例のような専用のセレクタを用いることなく、ゲインコントロールのパラメータ制御で実現することが可能となり、ＬＳＩ化に適したものとなる。
【００３４】
このパラメータ制御のために、入力された画像がＳＤアップコンバート映像であることをサイドパネル検出により判定し、判定結果によりＳＤアップコンバート映像であるとされた場合、ゲインコントロール信号５によりＨＤ映像用の２次微分信号に対するゲインを減少、ＳＤアップコンバート映像用の２次微分信号に対するゲインを増加させることで、入力ＳＤアップコンバート画像に対して最適な輪郭補正を行える。
【００３５】
本発明を用いることにより、ＨＤ映像、ＳＤアップコンバート映像の時には、それぞれに適したピーク周波数に回路自身が切り替えを速やかに行える。
【００３６】
図６は図１と等価なシステムをソフトウェアで実現する際のフローチャートを示している。符号Ａ1〜Ｆは、図１における各部の信号に対応している。
【００３７】
まず、サイドパネル検出処理において、サイドパネル検出領域か否かの判定を行い（ステップＳ1）、サイドパネル検出領域であれば、輝度レベルをヒストグラムテーブルへ格納し、輝度レベルごとの分布数を表すヒストグラムを作成する（ステップＳ2）。
【００３８】
そして、ヒストグラムより最大ピークを解析し（ステップＳ3）、最大ピークはスレッショルドレベル以下か否かの判定を行う（ステップＳ4）。最大ピークがスレッショルドレベル以下でなければ、入力映像信号がＨＤ映像信号対応であると判定し（ステップＳ5）、最大ピークがスレッショルドレベル以下であれば、入力映像信号がＳＤアップコンバート映像信号対応であると判定し（ステップＳ6）、ＨＤ映像用２次微分信号算出結果をＡ1と置き、ＳＤアップコンバート映像用２次微分信号算出結果をＢ1と置く（ステップＳ7）。
【００３９】
次に、ゲインコントロール処理において、検出された入力映像信号のモードはＨＤ映像対応かＳＤアップコンバート対応かをチェックし（ステップＳ8）、ＨＤ映像対応であれば、ゲイン設定値Gain1に制御設定値（ゲインコントロール信号５に基づいた値）を加えたゲインをＨＤ映像用２次微分信号Ａ1に乗算したものをＡ2とし、ゲイン設定値Gain2から制御設定値（ゲインコントロール信号５に基づいた値）を引いたゲインをＳＤアップコンバート映像用２次微分信号Ｂ1に乗算したものをＢ2とする（ステップＳ9）。
【００４０】
ＳＤアップコンバート対応であれば、ゲイン設定値Gain1から制御設定値（ゲインコントロール信号５に基づいた値）を引いたゲインをＨＤ映像用２次微分信号Ａ1に乗算したものを信号Ａ2とし、ゲイン設定値Gain2に制御設定値（ゲインコントロール信号５に基づいた値）を加えたゲインをＳＤアップコンバート映像用２次微分信号Ｂ1に乗算したものを信号Ｂ2とする（ステップＳ10）。
【００４１】
そして、信号Ａ2と信号Ｂ2とを加算した信号をＣとした（ステップＳ11）後、加算信号Ｃを振幅制限して信号Ｄとし（ステップＳ12）、さらに信号Ｄに微小振幅コアリングを施したものを信号Ｅとし（ステップＳ13）、信号Ｅにシャープネスゲイン（Sharpness Gain）を乗算したものを輪郭補正信号Ｆとした（ステップＳ14）後、入力端子１からの入力映像信号に輪郭補正信号を加算することで、入力画像に対して最適な輪郭補正を施した映像信号を得ることができる。
【００４２】
なお、以上述べた実施例１では、水平輪郭補正に関する一例を示したが、垂直輪郭補正に関しても同様の構成で実施できる。
【産業上の利用可能性】
【００４３】
本発明は、輪郭補正処理を伴うテレビ受像機や映像信号記録再生装置を含む映像機器に応用して有用である。
【図面の簡単な説明】
【００４４】
【図１】本発明の実施例１の映像信号処理装置を示すブロック図。
【図２】図１における非線形処理部の入出力特性を示す図。
【図３】図１におけるＳＤ／ＨＤ映像信号検出回路の一例を示すブロック図。
【図４】図１の装置の動作を説明するための図。
【図５】図１の装置の動作を説明するための図。
【図６】図１と等価なシステムをソフトウェアで実現する際のフローチャート。
【図７】本発明の映像信号処理装置が適用されるテレビ放送受信装置を示すブロック図。
【図８】図７における映像信号処理装置の構成を示すブロック図。
【符号の説明】
【００４５】
１…映像信号入力端子
２…ＨＤ映像信号用２次微分算出回路
３…ＳＤアップコンバート映像信号用２次微分算出回路
４…ＳＤ／ＨＤ映像信号検出回路
６，８，１３…乗算回路
１０，１５…加算回路
１１…リミッタ回路
１２…コアリング回路
２０…制御部
代理人    弁理士      伊    藤      進 
【図１】
2006179976.tif 000003
【図２】
2006179976.tif 000004
【図３】
2006179976.tif 000005
【図４】
2006179976.tif 000006
【図５】
2006179976.tif 000007
【図６】
2006179976.tif 000008
【図７】
2006179976.tif 000009
【図８】
2006179976.tif 000010